(57)【要約】      （修正有）【課題】簡易な構成で、ブラシローラの清掃能力を長期にわたって良好に維持することを可能とする。【解決手段】被清掃体の表面に当接する絶縁性のブラシ規制部材１２１ｃをブラシローラ１２１に設け、ブラシ規制部材１２１ｃを被清掃体の表面に当接させることによって、被清掃体に対するブラシローラ１２１の位置決め作用が容易に得られ、ブラシローラ１２１の食い込み量の規制精度が向上されるとともに、起毛状ブラシ片１２１ｂの毛倒れが長期使用後においても大幅に抑制されて良好な清掃能力が安定的に維持されるように構成した。【選択図】図２
2012032552.tif 000002
【特許請求の範囲】
【請求項１】
ローラ本体から放射状に延出する多数の起毛状ブラシ片が設けられたブラシローラを有し、
回転する前記ブラシローラの前記起毛状ブラシ片が被清掃体の表面に摺擦することにより、前記被清掃体の表面をクリーニングするクリーニング装置において、
前記ブラシローラは、前記被清掃体の表面に当接して前記被清掃体と前記ブラシローラとの軸間距離を規制する絶縁性のブラシ規制部材を有し、
前記ブラシローラの起毛状ブラシ片は、前記ブラシ規制部材と、前記被清掃体の軸方向に対し交互に接する位置関係で前記ブラシローラ上に配置され、かつ
前記起毛状ブラシ片は、前記ブラシ規制部材を挟んで互いに帯電極性が異なることを特徴とするクリーニング装置。
【請求項２】
前記ブラシ規制部材は、前記ブラシローラの軸方向に沿って複数配置された円盤状片から構成され、
それらの各円盤状片が、前記ブラシローラの径方向に対して傾斜角を有するように配置されていることを特徴とする請求項１記載のクリーニング装置。
【請求項３】
前記ブラシ規制部材は、前記ブラシローラの軸方向に沿って格子状に構成されていることを特徴とする請求項１記載のクリーニング装置。
【請求項４】
前記ブラシ規制部材は、前記ブラシローラの軸方向に沿って捻られるように延在する螺旋部材から構成されていることを特徴とする請求項１記載のクリーニング装置。
【請求項５】
記録媒体にトナー像を形成する画像形成部を備えたものであって、
前記画像形成部に、請求項１乃至請求項４のいずれかに記載のクリーニング装置が設けられていることを特徴とする画像形成装置。
【発明の詳細な説明】
【技術分野】
【０００１】
本発明は、被清掃体の表面に付着した付着物を除去するブラシローラを備えたクリーニング装置及び画像形成装置に関する。
【０００２】
一般に、各種機器においてブラシローラを備えたクリーニング装置が広く採用されている。例えば、電子写真方式による複写機やプリンター等の画像形成装置では、感光ドラム（像担持体）が帯電ローラにより一様に帯電されて露光により静電潜像が形成され、その静電潜像が現像装置によって現像材（トナー）で可視像化される。この可視像化されたトナー像は、転写材に転写された後に定着装置によって固着されることで、印刷画像が形成される。そして、トナー像の転写後に転写材に転移することなく感光ドラムに残留したトナーは、そのままクリーニング装置に達し、当該クリーニング装置に設けられたクリーニングブレードにより除去されることによって、感光ドラムは次の画像形成工程に入り得る状態になされる。
【０００３】
ところで、このような画像形成装置にあっては、使用が長期に渡るにつれてクリーニング装置のクリーニングブレードをすり抜けたトナーや、装置本体内の浮遊トナーが、次第に帯電ローラに付着してこれを汚染し、帯電ムラ、帯電不良等を発生して画質の劣化の原因となることがある。また、クリーニングブレードによって、微量ではあるが感光ドラム（像担持体）の表面感光層が削られていき、その削り粉が感光ドラムに乗って帯電ローラに付着し、付着物となって帯電ローラを汚染することがある。
【０００４】
このような異物汚染の問題に対処するため、従来から図５に示されているようなクリーニング装置１が、上述した帯電ローラ２や感光ドラム等を被清掃体として付設されている。このクリーニング装置１は、ブラシローラ本体１ａから略放射状に延出する多数の起毛状ブラシ片１ｂが設けられたブラシローラ１ｃを有しており、そのブラシローラ１ｃに設けられた起毛状ブラシ片１ｂの先端部を、帯電ローラや感光ドラム等からなる被清掃体２の外周表面に当接させながらブラシローラ１ｃを従動により回転させ、それによって被清掃体２の表面をクリーニングし、そこに付着している付着物を除去する構成になされている。
【０００５】
このようにクリーニング装置１は、帯電ローラや感光ドラム（像担持体）等の被清掃体２の表面に一定圧で押し当てられたブラシローラ１ｃを有していて、そのブラシローラ１ｃの起毛状ブラシ片１ｂを摺擦させることで、被清掃体２に対するクリーニング作用を行うように構成されたものであるが、従来から、そのブラシローラ１ｃのクリーニング作用による清掃能力をさらに向上させるために、導電性が異なる複数の起毛状ブラシ片を設けたものや、異種のブラシ片間に感光ドラム表面の付着物を機械的に除去する掻き取り部材を備えたものも提案されている。
【先行技術文献】
【特許文献】
【０００６】
【特許文献１】特開２００４−１０１９７８号公報
【特許文献１】特開２００７−１４７７０８号公報
【特許文献１】特開２００７−２１２６２６号公報
【発明の開示】
【発明が解決しようとする課題】
【０００７】
ここで、上述した特許文献にも記載があるように、ブラシローラを被清掃体に当接させてクリーニング作用を行う場合の清掃能力は、起毛状ブラシ片の材質・長さ・太さといった物性、被清掃体との周速比の他、被清掃体に対する起毛状ブラシ片の食い込み量（侵入量）に依存したものとなっている。しかしながら、ブラシローラの使用が長期にわたってくると、起毛状ブラシ片が塑性変形して、いわゆる毛倒れが発生し、その結果、ブラシローラの清掃能力が大幅に低下するという問題がある。また、被清掃体に対する起毛状ブラシ片の食い込み量を、回転軸方向に沿って精度良く規制するには、一般に、高価な位置決め機構を用いてブラシローラを被清掃体に位置合わせする必要がある。さらに、被清掃体の表面に付着している付着物は異なる極性を有しているものが有り、このように異なる極性の付着物を除去するためには、異なる帯電極性を有する複数本のブラシローラを並べた装置が必要となり、装置全体が大型化されるという問題がある。
【０００８】
本発明はこのような背景においてなされたものであり、目的とするところは、静電転写プロセスを利用した画像形成装置等において、簡易な構成で、ブラシローラの清掃能力を長期にわたって良好に維持することができるようにしたクリーニング装置及び画像形成装置を提供することにある。
【課題を解決するための手段】
【０００９】
上記目的を達成するため、本発明では、ローラ本体から放射状に延出する多数の起毛状ブラシ片が設けられたブラシローラを有し、回転する前記ブラシローラの前記起毛状ブラシ片が被清掃体の表面に摺擦することにより、前記被清掃体の表面をクリーニングするクリーニング装置において、前記ブラシローラは、前記被清掃体の表面に当接して前記被清掃体と前記ブラシローラとの軸間距離を規制する絶縁性のブラシ規制部材を有し、前記ブラシローラの起毛状ブラシ片は、前記ブラシ規制部材と、前記被清掃体の軸方向に対し交互に接する位置関係で前記ブラシローラ上に配置され、かつ前記起毛状ブラシ片は、前記ブラシ規制部材を挟んで互いに帯電極性が異なる構成が採用されている。
【００１０】
このような構成によれば、起毛状ブラシ片の先端部よりも内周側に位置するブラシ規制部材の外径部分が被清掃体の表面に当接することによって、被清掃体に対するブラシローラの位置関係が一定状態に規制されることから両者の位置決め作用が容易に得られ、その結果、被清掃体に対するブラシローラの食い込み量の規制精度が容易に向上されて起毛状ブラシ片の先端部分における撓み量が適宜の一定状態に維持される。また、ブラシ規制部材の外径以上に起毛状ブラシ片が倒れ込むことが無くなることから、いわゆる毛倒れが、長期使用後においても大幅に抑制されることとなって、良好な清掃能力が安定的に維持される。さらに、ブラシ規制部材に沿うようにして起毛状ブラシ片の植毛が行われることによって、回転軸方向における起毛状ブラシ片の植毛量が容易かつ正確に制御される。
【００１１】
また、本発明においては、前記ブラシ規制部材は、前記回転軸の軸方向に沿って複数配置された円盤状片から構成され、それらの各円盤状片が、前記ブラシローラの径方向に対して傾斜角を有するように配置されたものであって、前記ブラシローラの起毛状ブラシ片は、前記ブラシ規制部材を構成している円盤状片を境界として軸方向に異なる帯電極性を有するものが隣接するように配置されていることが望ましい。
【００１２】
このような構成によれば、ブラシローラの円周方向に異なる帯電極性の起毛状ブラシ片が交互に配列された状態となり、その異なる帯電極性の起毛状ブラシ片が被清掃体の表面に交互に到来することによって、当該被清掃体の表面に付着している異なる極性の異物が良好に除去される。その結果、被清掃体に対する良好なクリーニング作用が単体のブラシローラによって得られることとなり、従来のような異なる帯電極性を有する複数本のブラシローラを並べた装置に比して、装置全体が大幅に小型化される。
【００１３】
また、本発明においては、前記ブラシ規制部材は、前記ブラシローラの軸方向に沿って複数配置された円盤状片から構成され、前記複数の円盤状片のうちの軸方向に隣接する一対のもの同士を連結する板状仕切片を有し、その板状仕切片は、前記ブラシローラの軸方向に複数設けられ、それらの各板状仕切片を境界として、前記ブラシローラの起毛状ブラシ片が周方向に異なる帯電極性を有するものが隣接するように配置されていることが望ましい。
【００１４】
このような構成においても、ブラシローラの円周方向に異なる帯電極性の起毛状ブラシ片が交互に配列された状態となることから、その異なる帯電極性の起毛状ブラシ片が被清掃体の表面に交互に到来することによって、被清掃体の表面に付着している異なる極性の異物が良好に除去され、単体のブラシローラによって被清掃体の良好なクリーニングが可能となって、異なる帯電極性を有する複数本のブラシローラを並べて用いた従来の装置に比して装置全体が大幅に小型化される。
【００１５】
また、本発明においては、前記ブラシ規制部材は、前記ブラシローラの軸方向に沿って捻られるように延在する螺旋状片から構成されていることが可能である。
【００１６】
このような構成によれば、螺旋状片により規制されて螺旋状に延在する起毛状ブラシ片が、回転時に軸方向への搬送作用を備えることとなり、その起毛状ブラシ片に回収された異物が当該起毛状ブラシ片の搬送作用によって機外に向かって円滑に送り出される。
【００１７】
また、本発明においては、前記ブラシ規制部材が前記被清掃体の表面に当接可能となるように設定されていることが望ましい。
【００１８】
このような構成によれば、上述した被清掃体に対するブラシ規制部材の位置決め作用が確実に行われる。
【発明の効果】
【００１９】
以上のように本発明は、被清掃体の表面に当接する絶縁性のブラシ規制部材をブラシローラに設け、被清掃体に対するブラシローラの位置決め作用を容易に得ることとし、被清掃体に対するブラシローラの食い込み量の規制精度を容易に向上させるとともに、ブラシ規制部材の外径以上に起毛状ブラシ片が倒れ込むことを無くして、いわゆる毛倒れを大幅に抑制して良好な清掃能力を安定的に維持するように構成したものであるから、静電転写プロセスを利用した画像形成装置等において、簡易な構成で、ブラシローラのクリーニング作用による清掃能力を長期にわたって良好に維持することができ、さらに、異なる帯電極性の起毛状ブラシ片が被清掃体の表面に交互に到来することによって、当該被清掃体の表面に付着している異なる極性の付着物が良好に除去され、クリーニング装置及び画像形成装置の信頼性及び小型化を低コストで大幅に向上させることができる。
【図面の簡単な説明】
【００２０】
【図１】本発明を適用する画像形成装置の一例としてのレーザプリンターの内部構造を表した縦断面説明図である。
【図２】本発明の第１の実施形態にかかるブラシローラの構成を表した正面説明図である。
【図３】図２に表したブラシローラの横断面説明図である。
【図４】本発明の第２の実施形態にかかるブラシローラの構成を表した正面説明図である。
【図５】従来のブラシローラの構造を表した横断面説明図である。
【発明を実施するための形態】
【００２１】
以下、図面を参照して本発明の実施形態について詳細に説明する。なお、当然のことであるが、以下の実施形態に記載されている構成要素はあくまでも例示であり、本発明の範囲をそれらのみに限定する趣旨のものではない。
【００２２】
図１は、本発明を適用した画像形成装置としてのプリンターを示す概略図であって、当該プリンター１０は、像担持体としての感光ドラム１１を備えており、その感光ドラム１１の周囲には、回転方向aに沿って順に、帯電ローラ１２、現像装置１３、転写ローラ１４、クリーニング装置１５が設置されているとともに、前記帯電ローラ１２と現像装置１３の間の上方位置には露光装置１６が配設されている。また、前記帯電ローラ１２には、当該帯電ローラ１２の駆動を受けて従動で回転するクリーニングローラとしてのブラシローラ１２１が、前記帯電ローラ１２背面側（図１の上方側）に配設されている。
【００２３】
本実施形態で用いられている感光ドラム（像担持体）１１は、負帯電の有機感光ドラムから構成されており、不図示の駆動手段により所定の周速（プロセススピード）で矢印a方向に回転駆動され、その回転過程において当該感光ドラム１１の外周表面に接触する帯電ローラ１２に所定のバイアスを印加することによって感光ドラム１１の表面が一様な負極性の所定電位に帯電される。そして、その帯電された感光ドラム１１の表面上に露光装置１６からレーザー光による走査露光が照射されて感光ドラム１１の電位が部分的に低下し、画像情報に応じた静電潜像が形成される。
【００２４】
現像装置１３の現像スリーブ１３１が感光ドラム（像担持体）１１に対面された現像領域においては、感光ドラム１１の帯電極性と同極性に現像スリーブ１３１に現像バイアスが印加されることにより、感光ドラム１１上の静電潜像にトナーが付着されてトナー像として顕像化される。その感光ドラム１１上のトナー像が、感光ドラム１１と転写ローラ１４と間の転写ニップ部に到達すると、前記転写ローラ１４にトナーと逆極性のバイアスが印加され、それによって感光ドラム１１上のトナー像が転写材Ｐに転写される。
【００２５】
トナー像が転写された転写材Ｐは定着装置１８に搬送され、定着ローラ１８１と加圧ローラ１８２との間の定着ニップにて加熱・加圧により転写材Ｐ上のトナー像が熱定着されて画像形成動作が終了される。転写後に感光ドラム（像担持体）１１上に残留している転写残トナーは、クリーニング装置１５に設けられたクリーニングブレード１５１によって除去・回収される。
【００２６】
一方、上述したように帯電ローラ１２には、当該帯電ローラ１２に対するクリーニング装置としてのブラシローラ１２１が付設されているが、そのブラシローラ１２１の構成を詳細に説明する。
【００２７】
図２及び図３は、本実施形態にかかるブラシローラ１２１を示す図であって、そのブラシローラ１２１は、長尺状に延在するローラ本体としての回転軸１２１ａを有しており、当該回転軸１２１ａを中心としてブラシローラ１２１が回転される構成になされている。前記回転軸１２１ａには、当該回転軸１２１ａから略放射状に延出する多数の起毛状ブラシ片１２１ｂが設けられている。そして、それらの起毛状ブラシ片１２１ｂの先端部が、被清掃体としての帯電ローラ１２の外周表面に当接しながらブラシローラ１２１が回転した際において、前記起毛状ブラシ片１２１ｂの先端部が帯電ローラ（被清掃体）１２の外周表面に摺擦することによって、前記帯電ローラ（被清掃体）１２の表面をクリーニングし、当該表面上に付着していた付着物の除去が行われる構成になされている。
【００２８】
一方、上述したブラシローラ１２１は、被清掃体としての帯電ローラ１２の外周表面に当接する絶縁性のブラシ規制部材１２１ｃを有しており、当該ブラシ規制部材１２１ｃの当接によって、被清掃体としての帯電ローラ１２と、ブラシローラ１２１との軸間距離が規制される構成になされている。そのブラシ規制部材１２１ｃは、前記回転軸１２１ａと略同心状をなすように取り付けられたリング状の円盤状片から構成されており、その円盤状片からなるブラシ規制部材１２１ｃが、前記回転軸１２１ａの軸方向に沿って略一定の間隔をなして複数配置されている。これによって、前記ブラシローラ１２１の起毛状ブラシ片１２１ｂは、前記帯電ローラ（被清掃体）１２の軸方向において前記ブラシ規制部材１２１ｃと交互に接する位置関係でブラシローラ１２１上に配置されている。また、それらのブラシ規制部材１２１ｃを構成している各円盤状片は、ブラシローラ１２１の径方向に対して適宜の傾斜角を有するように設けられており、互いに略平行状態となるように配置されている。
【００２９】
すなわち、上述したようにブラシ規制部材１２１ｃが所定の傾斜角度をもって配置されていることによって、ブラシローラ１２１の外周方向に沿って異なる起毛状ブラシ片１２１ｂが交互に配置される構成になされている。そして、そのブラシローラ１２１の外周方向に沿って配置される異なる起毛状ブラシ片１２１ｂは、後述する帯電極性の観点から、少なくとも一対以上となることが望まれ、そのため本実施形態においては、上述したブラシ規制部材１２１ｃの傾斜角度が３０°に設定されている。
【００３０】
上述したブラシ規制部材１２１ｃを構成している各円盤状片の外径Ｄ１は、起毛状ブラシ片１２１ｂの先端部を円周状に結んだブラシローラ１２１のローラ外径Ｄ２よりも小さい外径を有するように形成されている（Ｄ１＜Ｄ２）。従って、それらの各ブラシ規制部材（円盤状片）１２１ｃ同士の間に植設された起毛状ブラシ片１２１ｂの先端部が、当該ブラシ規制部材１２１ｃの外周表面から半径方向外方に向かって突出する構成になされている。その起毛状ブラシ片１２１ｂの突出量は、本実施形態では０．５ｍｍに設定されている。
【００３１】
そして、被清掃体としての帯電ローラ１２の外周表面に対するブラシローラ１２１の当接圧（例えば１００ｇ）が、ブラシ規制部材１２１ｃを帯電ローラ（被清掃体）１２の外周表面に接触可能とするように設定されており、これによってブラシ規制部材１２１ｃの外周表面が帯電ローラ（被清掃体）１２の外周表面に当接した状態に位置決めされたブラシローラ１２１が配置されている。その結果、帯電ローラ（被清掃体）１２に対する当該ブラシローラ１２１の食い込み量、つまり前記起毛状ブラシ片１２１ｂの撓み量が適正状態となるようにセットされる。
【００３２】
すなわち、図３に示されているように、ブラシローラ１２１の外径より小さい外径を有する絶縁性部材からなるブラシ規制部材１２１ｃの外周表面を、被清掃体としての帯電ローラ１２の外周表面に当接した状態で配置することによって、当該ブラシ規制部材１２１ｃが、帯電ローラ（被清掃体）１２と起毛状ブラシ片１２１ｂとの接触距離を一定に保つコロの役割を果たすこととなり、その結果、ブラシローラ１２１の帯電ローラ１２へのブラシ食い込み量（侵入量）が精度良く規制されるとともに、ブラシローラ１２１の毛倒れが防止されて安定した清掃能力が保たれるようになっている。
【００３３】
このとき、上述したようにしてブラシローラ１２１に設けられた起毛状ブラシ片１２１ｂは、ブラシ規制部材１２１ｃを構成している各円盤状片を挟んで、軸方向に互いに異なる帯電極性のものが隣接するように配置されている。すなわち、これら異なる帯電極性を有する起毛状ブラシ片１２１ｂは、各ブラシ規制部材１２１ｃを境界として、正極性に帯電する領域と、負極性に帯電する領域とに仕分けされて配置されており、それらの両領域が、軸方向に交互に配置された構成になされている。
【００３４】
それらの各領域における起毛状ブラシ片１２１ｂは、ブラシローラ１２１が回転した際に、被清掃体としての帯電ローラ１２の外周表面に当接して摺擦することにより帯電することとなるが、上述したように各領域の起毛状ブラシ片１２１ｂは、互いに異なる極性に帯電することから、帯電ローラ（被清掃体）１２の外周表面に対して円周方向に異なる帯電極性の起毛状ブラシ片１２１ｂが交互に摺擦することとなり、それによって帯電ローラ１２の外周表面に付着している異なる極性の付着物が円滑に回収されるようになっている。
【００３５】
このように異なる帯電極性の起毛状ブラシ片１２１ｂを有するブラシローラ１２１を用いることによって、帯電ローラ（被清掃体）１２上における両極性の付着物を効率よく回収することができることとなるが、単に、異なる帯電極性を有する起毛状ブラシ片１２１ｂが隣り合って配置されている場合には、それら異なる帯電極性のブラシ同士が吸着し合うことで電気的な中和が行われてしまい、それぞれの極性に応じた異物の清掃能力が低下することが懸念される。そのため本実施形態では、異なる帯電極性を有する起毛状ブラシ片１２１ｂの各領域同士の間の境界部分に、絶縁性のブラシ規制部材１２１ｃが、両帯電領域を仕切るように配置されている。そのため、異なる帯電極性を有する起毛状ブラシ片１２１ｂ同士が吸着し合うことが防止され、良好な清掃能力が得られるようになっている。
【００３６】
ここで、本実施形態にかかるブラシローラ１２１の回転軸１２１ａは、ＳＵＳ２１等の金属軸体により形成されているが、特に限定されるものではなく、金属製の中実体からなる芯金や、内部を中空状にくり抜いた金属製の円筒体等が用いられ、その金属材料も、鉄、アルミニウム等、特に限定されるものではない。さらに、本実施形態にかかるブラシローラ１２１に設けられた起毛状ブラシ片１２１ｂを構成するブラシ糸としては、太さ１〜３デニール（デニールは９０００ｍあたり１ｇである糸の太さをいう）、長さ０．５〜１．５ｍｍ、電気抵抗１０６〜８Ωの繊維が好ましい。また、そのブラシ糸には、合成繊維、半合成繊維、再生繊維等の化学繊維や、天然繊維が、目的に応じて適宜に選択して使用される。例えば、合成繊維としては、ポリエチレン、ポリプロピレン等のオレフィン系樹脂、脂肪族ポリアミド（ナイロン）、芳香族ポリアミド（アラミド）等のアミド系樹脂、又はポリエステル、ポリエチレンテレフタレート等のエステル系樹脂等で形成されたものが挙げられる。その他、ポリアクリル等のアクリル系樹脂等、テトラフルオロエチレン−パーフルオロアルキルビニルエーテル共重合体（ＰＦＡ）、ポリテトラフルオロエチレン（ＰＴＦＥ）などのフッ素樹脂等で形成されたものが挙げられる。また、天然繊維としては、綿、絹等が挙げられる。
【００３７】
さらに、本実施形態にかかるブラシローラ１２１に設けられた起毛状ブラシ片１２１ｂのうち、正極性に帯電する領域の材質としては、正極性に帯電しやすいナイロンやレーヨンなどの繊維材を採用することが可能である。また、負極性に帯電する領域の材質としては、負極性に帯電しやすいポリエチレン、アクリル、ポリエステルなどの繊維材を用いることができる。また、この起毛状ブラシ片１２１ｂの密度は、１inch2（約６．４５ｃｍ2）当たり２万本以上に設定されているが、１inch2（約６．４５ｃｍ2）当たり３万本以上になされていることが好ましい。
【００３８】
さらに、上述したように絶縁部材からなるブラシ規制部材１２１ｃは、被清掃体としての帯電ローラ１２へのブラシ食い込み量を規制するコロの役割を持つため、起毛状ブラシ片１２１ｂよりも剛性が高くなるように設定されており、帯電ローラ（被清掃体）１２の外周表面と当接した際に撓み難いように構成しておくことで、ブラシ食い込み量が精度良く規制されるようにしている。
【００３９】
これに対して起毛状ブラシ片１２１ｂは、被清掃体としての帯電ローラ１２の外周表面に付着した付着物を静電的に吸着して除去するものであることから、起毛状ブラシ片１２１ｂが帯電ローラ（被清掃体）１２と接触した際における接触面積が大きい方が、より多くの付着物を静電的に吸着することができ好ましいこととなる。従って、各起毛状ブラシ片１２１ｂの剛性を比較的低く設定することによって、帯電ローラ１２と接触した際に大きく撓ませることにより接触面積が大きくなる構成としている。
【００４０】
このように本実施形態によれば、起毛状ブラシ片１２１ｂの先端部よりも内周側に位置するブラシ規制部材１２１ｃの外径部分が、被清掃体としての帯電ローラ１２の外周表面に当接することによって、帯電ローラ（被清掃体）１２に対するブラシローラ１２１の位置関係が一定状態に維持されることから位置決め作用が容易に得られ、帯電ローラ１２に対するブラシローラ１２１の食い込み量（侵入量）の規制精度が向上されて起毛状ブラシ片１２１ｂの先端部分における撓み量が一定状態（例えば略０．５ｍｍ）に維持される。
【００４１】
また、起毛状ブラシ片１２１ｂが、ブラシ規制部材１２１ｃの外径以上に倒れ込むことが無くなることから、いわゆる毛倒れが、従来と比較すると大幅に抑制されることとなって、良好な清掃能力が安定的に維持される。さらに、ブラシ規制部材１２１ｃに沿って起毛状ブラシ片１２１ｂの植毛が行われることにより、回転軸方向における起毛状ブラシ片１２１ｂの植毛量が容易かつ正確に制御される。
【００４２】
また、本実施形態においては、ブラシローラ１２１の円周方向に異なる帯電極性の起毛状ブラシ片１２１ｂが交互に配列された状態となっており、その異なる帯電極性の起毛状ブラシ片１２１ｂが、帯電ローラ（被清掃体）１２の表面に交互に到来することによって、当該帯電ローラ１２の表面に付着している異なる極性の付着物が良好に除去される。その結果、帯電ローラ１２に対する良好なクリーニング作用が単体のブラシローラによって得られることとなり、従来のような異なる帯電極性を有する複数本のブラシローラを並べた装置に比して、装置全体が大幅に小型化される。
【００４３】
さらにまた本実施形態においては、被清掃体としての帯電ローラ１２の外周表面に対するブラシローラ１２１の当接圧が、ブラシ規制部材１２１ｃが帯電ローラ（被清掃体）１２の外周表面に接触可能となるように設定されていることから、帯電ローラ１２に対するブラシ規制部材１２１ｃの位置決め作用が確実に行われる。
【００４４】
一方、図４に示されている本発明の第２の実施形態では、回転軸１２１ａの軸方向に沿ってブラシ規制部材１２１ｃが、ブラシローラ１２１の軸方向に沿って格子状に配置されている。このブラシ規制部材１２１ｃを境界として、起毛状ブラシ片１２１ｃが周方向に異なる帯電極性のものが隣接するように配置されている。すなわち、これらの帯電極性が異なる起毛状ブラシ片１２１ｂは、前記ブラシ規制部材１２１ｃを境界として、正極性に帯電する領域と、負極性に帯電する領域とを、円周方向に交互に形成するように植設されている。
【００４５】
このときのブラシ規制部材１２１ｃの好適条件としては、長手方向に少なくとも２個以上設けられていることが望ましく、本実施形態では７個としている。また、少なくとも軸方向に２個以上設けられていることが望ましく、本実施形態では６個としている。
【００４６】
また、それらの起毛状ブラシ片１２１ｂは、ブラシ規制部材１２１ｃを境界として、軸方向に異なる帯電極性のものが隣接するように配置されている。すなわち、これら帯電極性の異なる起毛状ブラシ片１２１ｂは、前記各ブラシ規制部材１２１ｃを境界として、正極性に帯電する領域と、負極性に帯電する領域とを、軸方向に交互に形成するように植設されている。
【００４７】
このような第２の実施形態にかかる構成においても、ブラシローラ１２１の円周方向には異なる帯電極性の起毛状ブラシ片１２１ｂが交互に配列された状態となることから、異なる帯電極性の起毛状ブラシ片１２１ｂによって被清掃体としての帯電ローラ１２の外周表面に付着した異なる極性の付着物が効率的に除去され、単体のブラシローラ１２１によって帯電ローラ（被清掃体）１２の良好なクリーニングが可能となる。特に、本実施形態においては、円周方向に極性の異なるブラシを、より細かいピッチで配置することが可能となり、そのように回転方向により細かく極性の異なるブラシ配置を行うことで、それぞれの極性部位が帯電ローラ１２に接触する回数が増えることとなることから、帯電ローラ１２を第１の実施形態よりムラなく清掃することが可能となる。
【００４８】
さらに、図示は省略したが、ブラシ規制部材を、ブラシローラの軸方向に沿って捻られるように延在する螺旋状片から構成することも可能である。このような実施形態とすれば、螺旋状片からなるブラシ規制部材により規制されて螺旋状に延在する起毛状ブラシ片１２１ｂが回転時に軸方向への搬送作用を備えることとなり、その起毛状ブラシ片１２１ｂに回収された付着物が、当該起毛状ブラシ片１２１ｂの搬送作用によって機外に向かって円滑に送り出される。
【００４９】
また、そのようなブラシ規制部材を構成している螺旋状片を、二重の螺旋形状を備えるように構成しておけば、異なる帯電極性の起毛状ブラシ片を、電気的に分離させた状態で仕切るように配置することが可能である。
【００５０】
以上、本発明者によってなされた発明の実施形態を具体的に説明したが、本発明は、上記実施形態に限定されるものではなく、その要旨を逸脱しない範囲で種々変形可能であることは言うまでもない。
【００５１】
例えば、上述した実施形態は、プリンターに対して本発明を適用したものであるが、複写機・ファクシミリなどの他の画像形成装置や、その他の種々の装置に対しても本発明は同様に適用することができるものである。
【産業上の利用可能性】
【００５２】
以上述べたように本発明にかかるクリーニング装置及び画像形成装置は、プリンターや複写機などの多種多様な画像形成装置や、その他の各種装置に対して広く適用することが可能である。
【符号の説明】
【００５３】
１０  プリンター
１１  感光ドラム（像担持体）
１２  帯電ローラ（被清掃体）
１２１  ブラシローラ
１２１ａ  回転軸（ローラ本体）
１２１ｂ  起毛状ブラシ片
１２１ｃ  ブラシ規制部材
１２１ｄ  板状仕切片
１３  現像装置
１４  転写ローラ
１５  クリーニング装置
１５１  クリーニングブレード
１６  露光装置
１８  定着装置
Ｐ  転写材
Ｄ１  ローラ外径
Ｄ２  ブラシ規制部材の外径
【図１】
2012032552.tif 000003
【図２】
2012032552.tif 000004
【図３】
2012032552.tif 000005
【図４】
2012032552.tif 000006
【図５】
2012032552.tif 000007